【手続補正書】
【提出日】平成26年8月7日(2014.8.7)
【手続補正１】
【補正対象書類名】明細書
【補正対象項目名】００３３
【補正方法】変更
【補正の内容】
【００３３】
【図１】コンテンツ提供処理および利用処理の概要について説明する図である。
【図２】メモリカードに記録されたコンテンツの利用形態について説明する図である。
【図３】メモリカードの記憶領域の具体的構成例について説明する図である。
【図４】ホスト証明書（Ｈｏｓｔ  Ｃｅｒｔｉｆｉｃａｔｅ）について説明する図である。
【図５】サーバ証明書（Ｓｅｒｖｅｒ  Ｃｅｒｔｉｆｉｃａｔｅ）について説明する図である。
【図６】メモリカードの記憶データの具体的構成例とアクセス制御処理の一例について説明する図である。
【図７】メモリカードの格納データの一例について説明する図である。
【図８】メモリカードに対するサーバのデータ記録処理の一例について説明する図である。
【図９】メモリカードの記録データに対するホストの読み取り処理の一例について説明する図である。
【図１０】コンテンツの有効期限情報の更新処理シーケンスについて説明する図である。
【図１１】ブロック対応の有効期限情報を設定したコンテンツの再生処理シーケンスについて説明するフローチャートを示す図である。
【図１２】ブロック対応の有効期限情報と利用制御情報の有効期限情報との共存構成について説明する図である。
【図１３】ブロック対応の有効期限情報と利用制御情報の有効期限情報との共存構成においてサーバの実行する処理例について説明する図である。
【図１４】ブロック対応の有効期限情報と利用制御情報の有効期限情報との共存構成においてホストの実行する処理例について説明する図である。
【図１５】ブロック対応の有効期限情報と利用制御情報の有効期限情報との共存構成においてホストの実行するコンテンツ再生処理シーケンスについて説明するフローチャートを示す図である。
【図１６】１つのブロックに複数のブロック対応の有効期限情報を設定する構成例について説明する図である。
【図１７】１つのブロックに複数のブロック対応の有効期限情報を設定する構成例について説明する図である。
【図１８】１つのブロックに複数のブロック対応の有効期限情報を設定する構成例において、１ブロックを複数サーバが利用する例について説明する図である。
【図１９】１つのブロックに複数のブロック対応の有効期限情報を設定する構成例において、１ブロックを複数サーバが利用する場合の記録データの例を説明する図である。
【図２０】コンテンツの初回再生日時等のステータス情報を記録し、ステータス情報に応じたコンテンツ利用期限を設定する例について説明する図である。
【図２１】コンテンツの初回再生日時等のステータス情報を記録し、ステータス情報に応じたコンテンツ利用期限を設定する例について説明する図である。
【図２２】コンテンツの初回再生日時等のステータス情報を記録し、ステータス情報に応じたコンテンツ利用期限を設定する例について説明する図である。
【図２３】コンテンツの初回再生日時等のステータス情報を記録し、ステータス情報に応じたコンテンツ利用期限を設定する例におけるサーバの処理について説明する図である。
【図２４】コンテンツの初回再生日時等のステータス情報を記録し、ステータス情報に応じたコンテンツ利用期限を設定する例におけるホストの処理について説明する図である。
【図２５】コンテンツの初回再生日時等のステータス情報を記録し、ステータス情報に応じたコンテンツ利用期限を設定する例におけるホストの処理について説明するフローチャートを示す図である。
【図２６】コンテンツの初回再生日時等のステータス情報を記録し、ステータス情報に応じたコンテンツ利用期限を設定する例におけるホストの処理について説明するフローチャートを示す図である。
【図２７】コンテンツのメディア間の移動（ムーブ）処理について説明する図である。
【図２８】コンテンツのメディア間の移動（ムーブ）処理について説明する図である。
【図２９】ホスト（再生装置）のハードウェア構成例について説明する図である。
【図３０】メモリカードのハードウェア構成例について説明する図である。
【手続補正２】
【補正対象書類名】明細書
【補正対象項目名】００３９
【補正方法】変更
【補正の内容】
【００３９】
利用制御対象となるコンテンツとは、例えば無秩序なコピーやコピーデータ配布等が禁止されたコンテンツや、利用期間が制限されたコンテンツ等である。なお、メモリカード３１に対して、利用制御コンテンツを記録する場合、そのコンテンツに対応する利用制御情報（Ｕｓａｇｅ  Ｒｕｌｅ）が合わせて記録される。
利用制御情報（Ｕｓａｇｅ  Ｒｕｌｅ）には、例えば許容されるコンテンツ利用期間や許容されるコピー回数などのコンテンツ利用に関する情報が記録される。
コンテンツ提供元は、コンテンツに併せてコンテンツ対応の利用制御情報を提供する。
【手続補正３】
【補正対象書類名】明細書
【補正対象項目名】００６４
【補正方法】変更
【補正の内容】
【００６４】
図４に認証局が各ホスト機器（ユーザ機器）に提供するホスト証明書（Ｈｏｓｔ  Ｃｅｒｔ）の具体例を示す。
ホスト証明書（Ｈｏｓｔ  Ｃｅｒｔ）には、図４に示すように、以下のデータが含まれる。
（１）タイプ情報
（２）ホストＩＤ（ユーザ機器ＩＤ）
（３）ホスト公開鍵（Ｈｏｓｔ  Ｐｕｂｌｉｃ  Ｋｅｙ）
（４）保護領域アクセス権情報（メディアの保護領域に対する読み取り／書き込み制限情報（ＰＡＤ  Ｒｅａｄ／ＰＡＤ  Ｗｒｉｔｅ））
（５）その他の情報
（６）署名（Ｓｉｇｎａｔｕｒｅ）
【手続補正４】
【補正対象書類名】明細書
【補正対象項目名】００９１
【補正方法】変更
【補正の内容】
【００９１】
図６に示すサーバＡ６１とサーバＢ６２がメモリカード７０に対して書き込むデータの例を図７に示す。
各サーバはユーザ装置としてのホスト機器に装着されたメモリカード７０に対してコンテンツ他のデータを記録する。
サーバＡの提供コンテンツを、Ｃｏｎ（ａ１）、Ｃｏｎ（ａ２），Ｃｏｎ（ａ３）とする。
サーバＢの提供コンテンツを、Ｃｏｎ（ｂ１）、Ｃｏｎ（ｂ２）とする。
【手続補正５】
【補正対象書類名】明細書
【補正対象項目名】０１２４
【補正方法】変更
【補正の内容】
【０１２４】
ステップＳ１０４において、読み出したブロックデータ内の有効期限情報を更新する。例えば、
更新前有効期限情報：２０１１／０９／０１〜２０１１／０９／３０を、
更新語有効期限情報：２０１１／１０／０１〜２０１１／１０／３１
とする有効期限情報の書き換え処理を行う。
【手続補正６】
【補正対象書類名】明細書
【補正対象項目名】０１７７
【補正方法】変更
【補正の内容】
【０１７７】
また、Ｂｅｆｏｒｅ＃Ｂｆ１，Ｂｆ２，＃Ｂｆ３・・・は、具体的には、例えば、
Ｂｅｆｏｒｅ＃Ｂｆ１＝Ｂｅｆｏｒｅ２０１１／０９／３０
Ｂｅｆｏｒｅ＃Ｂｆ２＝Ｂｅｆｏｒｅ２０１１／１０／３１
Ｂｅｆｏｒｅ＃Ｂｆ３＝Ｂｅｆｏｒｅ２０１１／１１／３０
このようなデータである。
Ｂｅｆｏｒｅ＃Ｂｆｎに設定された期日以前がコンテンツの利用が可能であることを示す。
すなわち、Ｂｅｆｏｒｅ＃Ｂｆ１，Ｂｆ２，＃Ｂｆ３・・・として、複数の異なる有効期限終了日時情報が記録されている。
【手続補正７】
【補正対象書類名】明細書
【補正対象項目名】０２０５
【補正方法】変更
【補正の内容】
【０２０５】
サーバＡ専用の保護領域（Ｐｒｏｔｅｃｔｅｄ  Ａｒｅａ）８０の１つのブロック＃０，８１には、これらのタイトルキーに加えて、複数の有効期限データが記録された有効期限情報記録領域が設定されている。図に示す、
Ａｆｔｅｒ＃Ａｆ１，＃Ａｆ２，＃Ａｆ３・・・
Ｂｅｆｏｒｅ＃Ｂｆ１，Ｂｆ２，＃Ｂｆ３・・・
これらのデータの記録領域である。
これらには、先に図１６を参照して説明したと同様のデータが含まれる。
【手続補正８】
【補正対象書類名】明細書
【補正対象項目名】０２０７
【補正方法】変更
【補正の内容】
【０２０７】
また、Ｂｅｆｏｒｅ＃Ｂｆ１，Ｂｆ２，＃Ｂｆ３・・・は、具体的には、例えば、
Ｂｅｆｏｒｅ＃Ｂｆ１＝Ｂｅｆｏｒｅ２０１１／０９／３０
Ｂｅｆｏｒｅ＃Ｂｆ２＝Ｂｅｆｏｒｅ２０１１／１０／３１
Ｂｅｆｏｒｅ＃Ｂｆ３＝Ｂｅｆｏｒｅ２０１１／１１／３０
このようなデータであり、
Ｂｅｆｏｒｅ＃Ｂｆｎの各設定期日以前がコンテンツの利用が可能であることを示す。
【手続補正９】
【補正対象書類名】明細書
【補正対象項目名】０２１６
【補正方法】変更
【補正の内容】
【０２１６】
図２２（ｂ２）に示すメモリカード７０の保護領域（Ｐｒｏｔｅｃｔｅｄ  Ａｒｅａ）８０に設定されるステータス格納ブロックであるブロック＃１，８２には、
コンテンツの利用開始日時を記録する。
コンテンツの利用開始日時は、コンテンツを利用するユーザ機器（ホスト機器）が記録する。
なお、サーバによるコンテンツ提供時には、
メモリカード７０の保護領域（Ｐｒｏｔｅｃｔｅｄ  Ａｒｅａ）８０に設定されるステータス格納ブロックであるブロック＃１，８２には、コンテンツ利用開始日時データは記録されず、日時情報を記録するためのステータスデータ記録領域のみが設定される。
【手続補正１０】
【補正対象書類名】明細書
【補正対象項目名】０２５２
【補正方法】変更
【補正の内容】
【０２５２】
図２７、図２８を参照してコンテンツのムーブ処理におけるサーバの処理について説明する。
図２７は、ムーブ元メディアに対する処理、
図２８は、ムーブ先メディアに対する処理、
これらの各処理を示している。
なお、図２７、図２８は、サーバＡ６１の提供コンテンツのムーブ処理を実行する際のメモリカードの保護領域（Ｐｒｏｔｅｃｔｅｄ  Ａｒｅａ）の記録データに対する処理のみを示している。
汎用領域（Ｇｅｎｅｒａｌ  Ｐｕｒｐｏｓｅ  Ａｒｅａ）のデータ移動はユーザ装置において実行できる。
【手続補正１１】
【補正対象書類名】明細書
【補正対象項目名】０２６６
【補正方法】変更
【補正の内容】
【０２６６】
入出力インタフェース８０５に接続されている通信部８０６は、例えばサーバやホストとの通信を実行する。記憶部８０７は、データの記憶領域であり、先に説明したようにアクセス制限のある保護領域（Ｐｒｏｔｅｃｔｅｄ  Ａｒｅａ）８１１、自由にデータ記録読み取りができる汎用領域（Ｇｅｎｅｒａｌ  Ｐｕｒｐｏｓｅ  Ａｒｅａ）８１２を有する。
【手続補正１２】
【補正対象書類名】図面
【補正対象項目名】図１１
【補正方法】変更
【補正の内容】
【図１１】
2013065953.tif 000001
【手続補正１３】
【補正対象書類名】図面
【補正対象項目名】図１５
【補正方法】変更
【補正の内容】
【図１５】
2013065953.tif 000002
【手続補正１４】
【補正対象書類名】図面
【補正対象項目名】図１６
【補正方法】変更
【補正の内容】
【図１６】
2013065953.tif 000003
【手続補正１５】
【補正対象書類名】図面
【補正対象項目名】図１７
【補正方法】変更
【補正の内容】
【図１７】
2013065953.tif 000004
【手続補正１６】
【補正対象書類名】図面
【補正対象項目名】図１８
【補正方法】変更
【補正の内容】
【図１８】
2013065953.tif 000005
【手続補正１７】
【補正対象書類名】図面
【補正対象項目名】図２０
【補正方法】変更
【補正の内容】
【図２０】
2013065953.tif 000006
【手続補正１８】
【補正対象書類名】図面
【補正対象項目名】図２１
【補正方法】変更
【補正の内容】
【図２１】
2013065953.tif 000007
【手続補正１９】
【補正対象書類名】図面
【補正対象項目名】図２３
【補正方法】変更
【補正の内容】
【図２３】
2013065953.tif 000008
【手続補正２０】
【補正対象書類名】図面
【補正対象項目名】図２４
【補正方法】変更
【補正の内容】
【図２４】
2013065953.tif 000009
【手続補正２１】
【補正対象書類名】図面
【補正対象項目名】図２５
【補正方法】変更
【補正の内容】
【図２５】
2013065953.tif 000010
【手続補正２２】
【補正対象書類名】図面
【補正対象項目名】図２７
【補正方法】変更
【補正の内容】
【図２７】
2013065953.tif 000011
【手続補正２３】
【補正対象書類名】図面
【補正対象項目名】図２８
【補正方法】変更
【補正の内容】
【図２８】
2013065953.tif 000012